(57)【要約】【課題】蛍光ランプの破損を抑制して耐衝撃性を向上させることができるバックライトを提供する。【解決手段】バックライト１Ａは、所定方向に配列された複数本の蛍光ランプ３と、蛍光ランプ３を収容するフレーム２と、蛍光ランプ３の中間部を保持する保持部材４とを備えている。フレーム２は、主壁２１および周壁２２を有し、主壁２１には、周壁２２における対向する部分同士を結ぶ方向で該主壁２１を補強する補強部２５が設けられている。そして、保持部材４は、主壁２１の補強部２５に取り付けられている。【選択図】図１
2011181426.tif 000002
【特許請求の範囲】
【請求項１】
所定方向に配列された複数本の蛍光ランプと、
前記複数本の蛍光ランプと接続されるソケットが取り付けられたフレームであって前記複数本の蛍光ランプに沿う主壁、およびこの主壁の周縁部から立ち上がり、前記複数本の蛍光ランプを取り囲む周壁を有するフレームと、
前記複数本の蛍光ランプを前記ソケットよりも内側の位置で保持する保持部材と、を備え、
前記フレームの主壁には、前記周壁における対向する部分同士を結ぶ方向で該主壁を補強する補強部が設けられており、この補強部に前記保持部材が取り付けられている、
バックライト。
【請求項２】
前記周壁における対向する部分同士を結ぶ方向は、前記複数本の蛍光ランプが配列された前記所定方向である、請求項１に記載のバックライト。
【請求項３】
前記補強部は、前記主壁における前記複数本の蛍光ランプと反対側の面に固定された、前記周壁における対向する部分同士を結ぶ方向に延びる補強ステーで構成されている、請求項１または２に記載のバックライト。
【請求項４】
前記補強部は、前記主壁が絞り加工されることにより形成された、前記周壁における対向する部分同士を結ぶ方向に延びる補強ビードで構成されている、請求項１または２に記載のバックライト。
【請求項５】
液晶パネルと、
前記液晶パネルの裏側に配設された、請求項１〜４のいずれか一項に記載のバックライトと、
を備える、液晶モジュール。
【発明の詳細な説明】
【技術分野】
【０００１】
本発明は、蛍光ランプを光源とするバックライトおよびこれを用いた液晶モジュールに関する。
【背景技術】
【０００２】
テレビジョン、モニター、パーソナルコンピュータ等の映像表示装置としては、液晶モジュールを筐体で囲繞した液晶表示装置が広く用いられている。
【０００３】
液晶モジュールは、画像を表示するための液晶パネルを備えている。また、液晶パネルが自発的に発光できない非発光性素子であるため、液晶パネルの裏側には光源装置としてバックライトが配設されている。このバックライトは、側光型のバックライトと、直下型のバックライトに区分される。
【０００４】
近年、テレビジョンやモニター等の映像表示装置の大画面化に伴い、液晶モジュールの大型化が求められている。このような大型の液晶モジュールには、高輝度が得られる直下型のバックライトが適している。
【０００５】
液晶モジュールが大型化されることによって、直下型のバックライトに使用される冷陰極蛍光ランプ（ＣＣＦＬ：Cold Cathode Fluorescent Lamp）が長くなる。また、冷陰極蛍光ランプは、管内径が小さい程発光効率が高いために、長尺化と共に細管化される傾向にある。このため、冷陰極蛍光ランプ単体での機械的強度が非常に弱くなり、液晶表示装置または液晶モジュールに落下衝撃または外力が加わると、蛍光ランプが破損することがある。
【０００６】
このような問題点を解決するために、従来のバックライトでは、冷陰極蛍光ランプの中間部を保持部材（ランプホルダ）で保持することにより、蛍光ランプの曲げ変形を抑制する構造が採用されている（例えば、特許文献１参照）。なお、特許文献１に開示されたバックライトでは、ランプホルダの把持部における蛍光ランプとの接触面に衝撃緩和材を設けることによって、耐衝撃性を向上させている。
【先行技術文献】
【特許文献】
【０００７】
【特許文献１】特開２００５−２０８３１７号公報
【発明の概要】
【発明が解決しようとする課題】
【０００８】
しかしながら、従来のバックライトにおいては、保持部材が、蛍光ランプを液晶パネルと反対側から収容するフレームに取り付けられているため、液晶表示装置または液晶モジュールに落下衝撃または外力が加わると、フレームが変形して保持部材が変位することにより、蛍光ランプが破損する（割れる）という課題があった。これについて図８および９を用いて説明する。
【０００９】
図８は、従来のバックライト１０１を用いた液晶モジュール１１０を示した模式図である。バックライト１０１は、液晶パネル１０５の裏側に配設されており、複数本の蛍光ランプ１０３と、蛍光ランプ１０３を液晶パネル１０５と反対側から収容するフレーム（背面部材）１０２と、蛍光ランプ１０３の中間部を保持する保持部材（ピンモールド）１０４とを備えている。図９は、液晶モジュール１１０が図８中に矢印Ａで示すように画像表示方向に（前面である表示面を下にして）落下（以下、「前面落下」ともいう。）した場合の落下衝撃時の変形形状を示す。図９に示すように、フレーム１０２の変形に伴い、フレーム１０２に取り付けられている保持部材１０４も変位し、蛍光ランプ１０３が図のように曲がる現象が発生する。その結果、蛍光ランプ１０３の割れが発生する。
【００１０】
本発明は、上記の課題を解決するためになされたものであり、本発明の目的は、蛍光ランプの破損を抑制して耐衝撃性を向上させることができるバックライトおよびこのバックライトを用いた液晶モジュールを提供することにある。
【課題を解決するための手段】
【００１１】
前記課題を解決するために、本発明は、所定方向に配列された複数本の蛍光ランプと、前記複数本の蛍光ランプと接続されるソケットが取り付けられたフレームであって前記複数本の蛍光ランプに沿う主壁、およびこの主壁の周縁部から立ち上がり、前記複数本の蛍光ランプを取り囲む周壁を有するフレームと、前記複数本の蛍光ランプを前記ソケットよりも内側の位置で保持する保持部材と、を備え、前記フレームの主壁には、前記周壁における対向する部分同士を結ぶ方向で該主壁を補強する補強部が設けられており、この補強部に前記保持部材が取り付けられている、バックライトを提供する。
【００１２】
また、本発明は、液晶パネルと、前記液晶パネルの裏側に配設された、上記のバックライトと、を備える、液晶モジュールを提供する。
【発明の効果】
【００１３】
本発明のバックライトによれば、補強部によって該補強部の位置での主壁の変形が抑制され、この補強部に保持部材が取り付けられているので、例えば落下衝撃時の保持部材の変位が小さく抑えられる。従って、落下衝撃時の蛍光ランプの曲がり度合いを抑えて蛍光ランプの破損を抑制することができ、ひいては耐衝撃性を向上させることができる。
【００１４】
そして、このバックライトを備える本発明の液晶モジュールでは、液晶モジュールに落下衝撃または外力が加わっても蛍光ランプの破損を抑制することができ、衝撃に対する信頼性を向上させることができる。
【図面の簡単な説明】
【００１５】
【図１】本発明の第１実施形態に係るバックライトを用いた液晶モジュールの概略断面図
【図２】図１の液晶モジュールが落下したときの変形を示す模式図
【図３】図１に示されるバックライトの正面図
【図４】本発明の第２実施形態に係るバックライトを用いた液晶モジュールの概略断面図
【図５】図４の液晶モジュールが落下したときの変形を示す模式図
【図６】図４に示されるバックライトの背面図
【図７】図６のVII−VII線断面図
【図８】従来のバックライトを用いた液晶モジュールの概略断面図
【図９】図８の液晶モジュールが落下したときの変形を示す模式図
【発明を実施するための形態】
【００１６】
以下、本発明の実施形態について、図面を参照しながら説明する。
【００１７】
（第１実施形態）
図１に、本発明の第１実施形態に係るバックライト１Ａを用いた液晶モジュール１０を示す。この液晶モジュール１０は、液晶パネル７と、液晶パネル７の裏側に配設されたバックライト１Ａとを備えている。そして、液晶パネル７の裏面には、バックライト１Ａから放射された光が照射される。なお、液晶パネル７の裏面には、バックライト１Ａからの光を制御する、拡散板およびプリズムシートなどを含む光学層８が形成されている。また、液晶パネル７の周縁部は、カバーフレーム９によってバックライト１Ａに固定されている。
【００１８】
バックライト１Ａは、図１および図３に示すように、所定方向に配列された複数本の蛍光ランプ３と、蛍光ランプ３と接続されるソケット３２が取り付けられ、蛍光ランプ３を液晶パネル７と反対側（蛍光ランプ３の配列面と直交する方向の一方）から収容するフレーム２とを備えている。
【００１９】
本実施形態では、蛍光ランプ３として直線状の冷陰極蛍光ランプが用いられており、これらが互いに平行に配列されている。ただし、蛍光ランプ３としては、Ｕ字状の冷陰極蛍光ランプを用いることも可能である。フレーム２の背面２ａには、適所に絞りによりボス（図示せず）が形成されており、このボスを利用して蛍光ランプ３への電力の供給を制御する回路基板（図示せず）などが取り付けられる。
【００２０】
フレーム２は、例えばＳＥＣＣ（ＪＩＳ  Ｇ  ３３１３）からなる。フレーム２は、詳細には、背面２ａを形成する、蛍光ランプ３に沿う主壁２１と、主壁２１の周縁部から立ち上がり、蛍光ランプ３を取り囲む周壁２２と、周壁２２の前端部から外向きに広がる鍔部２３とを有している。本実施形態では、主壁２１にソケット３２が取り付けられているが、ソケット３２は周壁２２に取り付けられていてもよい。
【００２１】
主壁２１は、一般に、蛍光ランプ３が配列された前記所定方向と直交する方向に延びる長方形状をなしており、蛍光ランプ３が配列された前記所定方向が短手方向、これと直交する蛍光ランプ３の延在方向が長手方向となる。
【００２２】
周壁２２は、図３に示すように、主壁２１の短手方向で蛍光ランプ３を挟んで互いに対向する一対の長辺部２２ａと、主壁２１の長手方向で蛍光ランプ３を挟んで互いに対向する一対の短辺部２２ｂとを有している。
【００２３】
さらに、バックライト１Ａは、蛍光ランプ３をソケット３２よりも内側の位置で保持し、主壁２１に固定する保持部材４を備えている。本実施形態では、保持部材４が蛍光ランプ３の延在方向に並ぶように２箇所に設けられている。
【００２４】
保持部材４は、例えばポリカーボネート樹脂からなる。保持部材４は、ピンモールドと呼ばれるものであり、隣り合う一対の蛍光ランプ３を保持するとともに、それらの蛍光ランプ３の間で突出する略円錐状の支柱部でフレーム２の主壁２１と液晶パネル７との間の距離を規定する。
【００２５】
次に、保持部材４と主壁２１との接続部分について詳細に説明する。
【００２６】
主壁２１には、保持部材４と対応する位置で、周壁２２の長辺部２２ａ同士を結ぶ方向（すなわち、主壁２１の短手方向）で該主壁２１を補強する補強部２５が設けられている。そして、この補強部２５に保持部材４が取り付けられている。なお、保持部材４の補強部２５への取り付けは、例えば保持部材４に設けられたフック部を補強部２５に設けられた穴に嵌め込むことにより行われる。
【００２７】
本実施形態では、補強部２５は、主壁２１における蛍光ランプ３と反対側の面に固定された、長辺部２２ａ同士を結ぶ方向に延びる補強ステー５Ａで構成されている。補強ステー５Ａは、バックライト１の後方に開口する断面略コ字状をなしており、断面二次モーメントの増大が図られている。これにより、主壁２１の補強部２５が設けられた部分の剛性が高くなっている。すなわち、補強部２５によって主壁２１を高剛性部分と低剛性部分とに分けることができる。
【００２８】
以上説明した構成のバックライト１Ａでは、例えば、液晶モジュール１０が図１中に矢印Ａで示すように前面落下したとときには、図２に示すように、主壁２１における補強部２５が設けられていない低剛性部分は大きく変形するが、主壁２１における補強部２５が設けられた高剛性部分では変形が抑制される。これにより、落下衝撃時の保持部材４の変位が小さく抑えられる。従って、落下衝撃時の蛍光ランプ３の曲がり度合いを抑えて蛍光ランプ３の破損を抑制することができる。
【００２９】
（第２実施形態）
次に、図４、図６および図７を参照して、本発明の第２実施形態に係るバックライト１Ｂを説明する。なお、本実施形態では、第１実施形態と同一構成部分には同一符号を付して、その説明を省略する。
【００３０】
本実施形態のバックライト１Ｂでは、補強部２５が、主壁２１が絞り加工されることにより形成された、周壁２２の長辺部２２ａ同士を結ぶ方向に延びる補強ビード５Ｂで構成されている。
【００３１】
このような構成でも、図５に示すように第１実施形態と同様に、主壁２１における補強部２５が設けられていない低剛性部分は大きく変形するが、主壁２１における補強部２５が設けられた高剛性部分では変形が抑制される。これにより、落下衝撃時の保持部材４の変位が小さく抑えられる。従って、落下衝撃時の蛍光ランプ３の曲がり度合いを抑えて蛍光ランプ３の破損を抑制することができる。
【００３２】
（その他の実施形態）
前記第１および第２実施形態では、補強部２５が周壁２２の長辺部２２ａ同士を結ぶ方向で主壁２１を補強しているが、補強部２５は周壁２２の短辺部２２ｂ同士を結ぶ方向で主壁２１を補強していてもよい。ただし、この場合は、例えば保持部材４と同数の補強部２５を設けることになるため、補強部２５は周壁２２の長辺部２２ａ同士を結ぶ方向で主壁２１を補強していることが好ましい。
【産業上の利用可能性】
【００３３】
本発明は、種々の用途のバックライトに適用可能であるが、特に液晶パネルの裏面に光を照射するバックライトに有用である。
【符号の説明】
【００３４】
１Ａ，１Ｂ  バックライト
２    フレーム
２１  主壁
２２  周壁
２５  補強部
３    蛍光ランプ
３２  ソケット
５Ａ  補強ステー
５Ｂ  補強ビード
７    液晶パネル
１０  液晶モジュール
【図１】
2011181426.tif 000003
【図２】
2011181426.tif 000004
【図３】
2011181426.tif 000005
【図４】
2011181426.tif 000006
【図５】
2011181426.tif 000007
【図６】
2011181426.tif 000008
【図７】
2011181426.tif 000009
【図８】
2011181426.tif 000010
【図９】
2011181426.tif 000011